(57)【要約】【課題】折り曲げや高熱に強く破損せず、記録された識別情報の不正にコピーを防止し、個人情報の漏洩や識別情報が消去のない識別カードを提供し、識別情報の不正使用を防止した識別カード取引システムを提供する。【解決手段】識別カード１は６−４チタン合金で一体に形成されたカード本体１０に少なくとも１つの識別情報記録部２０を備え、識別情報記録部は、カード長辺方向に細分された複数のセル３０がカード短辺方向に複数段配列されてなり、複数のセルにはそれぞれセルに刻まれた直線模様の所定の角度による第一識別情報と、セルが刻設される所定の深さによる第二識別情報とからなり、前記第一識別情報と第二識別情報の組み合わせによって複数の固有の識別情報となる。また識別カードの表面が金属蒸着層によって着色されている。識別情報は、レーザー彫刻機によって刻設される。なお、識別カードを現金自動預け払い機による取引システムに使用可能である。【選択図】図２
2009178843.tif 000002
【特許請求の範囲】
【請求項１】
高強度合金で一体に形成されたカード本体と、
そのカード本体に刻設された固有の識別情報からなる少なくとも１つの識別情報記録部とで構成されていることを特徴とする識別カード。
【請求項２】
カード本体の所定位置には複数のセルが刻設され、
識別情報記録部は、それらセルの刻設深さ、刻設幅、刻設形状のいずれか一つもしくは複数の組み合わせによって固有の識別情報が特定されることを特徴とする請求項１に記載の識別カード。
【請求項３】
カード本体の所定位置には複数のセルが刻設され、
識別情報記録部は、それらセルに刻設される模様によって固有の識別情報が特定されることを特徴とする請求項１に記載の識別カード。
【請求項４】
カード本体の所定位置には複数のセルが刻設され、
識別情報記録部は、それらセルに刻設される模様によって特定される第一識別情報と、それら模様の深さによって特定される第二識別情報の組み合わせによって固有の識別情報が特定されることを特徴とする請求項１に記載の識別カード。
【請求項５】
カード本体の所定位置には複数のセルが刻設され、
識別情報記録部は、それらセルに刻設される模様によって特定される第一識別情報と、それらセルの深さによって特定される第二識別情報の組み合わせによって固有の識別情報が特定されることを特徴とする請求項１に記載の識別カード。
【請求項６】
複数のセルは、カードの短辺間にわたって細分され、かつカード長辺間にわたって複数段配列されていることを特徴とする請求項５に記載の識別カード。
【請求項７】
平面視で所定の傾きをもってそれぞれのセルに刻設される複数の直線模様の組み合わせによって第一の識別情報が特定されることを特徴とする請求項６に記載の識別カード。
【請求項８】
高強度合金は、６−４チタン合金であることを特徴とする請求項１〜請求項７のいずれかに記載の識別カード。
【請求項９】
カード本体は、その表面が金属蒸着層によって着色されていることを特徴とする請求項１〜請求項８のいずれかに記載の識別カード。
【請求項１０】
識別情報は、レーザー彫刻機によって刻設されていることを特徴とする請求項１〜請求項９のいずれかに記載の識別カード。
【請求項１１】
現金自動預け払い機に使用可能であることを特徴とする請求項１〜請求項１０のいずれかに記載の識別カード。
【請求項１２】
請求項１〜請求項１１のいずれかに記載された識別カードと、
その識別カードに刻設された固有の識別情報を読み取るクライアントシステムと、
クライアントシステムとネットワークで接続されたサーバシステムと、
サーバシステムに備えられ、前記固有の識別情報と識別カードの所有者に関する情報が記録されたデータベースと、
サーバシステムに備えられ、前記固有の識別情報とデータベースの記録とを照合する判定部とを備え、
識別カードに刻設された固有の識別情報の配列パターンをクライアントシステムで読み取り、さらに、サーバシステムでデータベースと照合することによって、判定部が識別カードの所有者を判別することを特徴とした識別カード取引システム。
【発明の詳細な説明】
【技術分野】
【０００１】
本発明は、識別カードに関し、詳しくは、高強度合金で一体に形成されたカード本体に識別情報記録部を備えた識別カードに関する。さらに、その識別カードを使用した識別カード取引システムに関する。なお、本発明において、識別カードとは、薄い板状に形成され、現金自動預け払い機（Ａｕｔｏｍａｔｉｃ  Ｔｅｌｌｅｒ  Ｍａｃｈｉｎｅ：以下ＡＴＭと称する）やクレジット決済に使用される識別カードのほか、所有者の身分を証明するＩＤカードやその他一般的に使用される会員カード等を含む概念である。
【背景技術】
【０００２】
例えば従来から、ＡＴＭやクレジット決済に使用される識別カードとして、塩化ビニル樹脂やＰＥＴ（ポリエチレンテレフタレート）樹脂等の樹脂素材で形成されたカード本体の一面側に磁性体領域が備えられ、その磁性体領域に所定の規格に準じた磁気配列によって識別情報を記録した識別カードが知られている。なお、このような識別カードの一例が特許文献１に開示されている。
【０００３】
このような従来の識別カードは、柔らかい樹脂素材で形成されているため、識別カードを折り曲げてしまったり傷をつけてしまったりすることが多々あり、また、識別カードを高熱の雰囲気中に置いてしまった場合には、識別カードが溶けてしまう場合もあって、識別カードが破損しやすいという問題があった。
さらに、識別カードの使用時には、前記ＡＴＭやクレジット決済機が、破損した識別カードを受け付けることができず、識別カードの所有者を識別することができないため、新しい識別カードの再発行を受けなければならず、その手続きは甚だ煩わしいものであった。
【０００４】
そこで、識別カードを金属素材によって形成することも試みられてはいるが、鉄素材の場合には識別カードが重くなってしまうので、所有者が識別カードを携帯する場合の弊害となってしまう。また、識別カードをアルミ素材で形成した場合には、重量は軽くすることができるものの、折り曲げや高熱に対する弱さは改善することができなかった。
【０００５】
さらに、従来の識別カードは、カード本体の一面側に備えられた帯状の磁性体領域（磁気ストライプ）に、所定の公的な規格に準じた磁気配列によって識別情報が記録されており、その識別情報を正規のＡＴＭやクレジット決済機で磁気リーダによって読み出し、ホストコンピュータのデータベースに問い合わせることによって、識別カードの所有者や識別カードの契約状態の確認が可能となっている。
この場合、前記磁気配列の規格は公開されているので、識別情報を正規のＡＴＭやクレジット決済機以外にも市販の磁気リーダによって読み出すことが可能である。昨今、識別カードの所有者の意思に反して、前記市販の磁気リーダによって識別情報を不正に読み出し、読み出した識別情報を他の識別カードに書き写して不正コピーを作成する、いわゆるスキミングと称される犯罪行為が頻繁に行われており、不正コピーされた識別カードを正規の所有者以外の者に使用されたことで、所有者や識別カード発行会社が甚大な被害を被ることが社会問題となっている。また、従来の識別カードの識別情報には個人情報が含まれていたので、上記スキミングによって個人情報が漏れてしまう問題もあった。
さらに、磁気ストライプには磁力によって識別情報が記録されているので、識別カードを強力な磁場、例えば磁石やＴＶ受像機の付近に長時間放置した場合などには、識別情報が消えてしまうという問題があった。
【特許文献１】特開２００３−１５４７７８号公報
【発明の開示】
【発明が解決しようとする課題】
【０００６】
本発明の目的は、折り曲げや高熱に強くて破損することがなく、記録された識別情報を不正にコピーされされたり、個人情報の漏洩や識別情報が消去したりすることのない識別カードを提供することである。さらに、その識別カードを使用して識別情報を不正に使用されることを防止した識別カード取引システムを提供することである。
【課題を解決するための手段】
【０００７】
上記課題を達成するために本発明がなした技術的手段は、高強度合金で一体に形成されたカード本体と、そのカード本体に刻設された固有の識別情報からなる少なくとも１つの識別情報記録部とで構成された識別カードとしたことである。そのカード本体の所定位置には複数のセルが刻設され、識別情報記録部は、それらセルの刻設深さ、刻設幅、刻設形状のいずれか一つもしくは複数の組み合わせによって固有の識別情報が特定される。また、識別情報記録部は、それらセルに刻設される模様によって固有の識別情報が特定される場合もあり、それらセルに刻設される模様によって特定される第一識別情報と、それら模様の深さによって特定される第二識別情報の組み合わせによって固有の識別情報が特定される場合もある。また、第二識別情報は、それらセルの深さによって特定されるものであっても良い。
【０００８】
さらに、複数のセルは、カードの短辺間にわたって細分され、かつカード長辺間にわたって複数段配列されていても良く、第一の識別情報は、平面視で所定の傾きをもってそれぞれのセルに刻設される複数の直線模様の組み合わせによってが特定されるものであっても良い。また、高強度合金は６−４チタン合金としても良く、カード本体の表面が金属蒸着層によって着色されていても良い。これらの識別情報は、レーザー彫刻機によって刻設されている場合もある。なお、識別カードは現金自動預け払い機にも使用可能である。
【０００９】
また、上述した本発明の識別カードを利用した取引システムは、上述の各本発明による識別カードと、その識別カードに刻設された固有の識別情報を読み取るクライアントシステムと、クライアントシステムとネットワークで接続されたサーバシステムと、サーバシステムに備えられ、前記固有の識別情報と識別カードの所有者に関する情報が記録されたデータベースと、サーバシステムに備えられ、前記固有の識別情報とデータベースの記録とを照合する判定部とを備え、識別カードに刻設された固有の識別情報の配列パターンをクライアントシステムで読み取り、さらに、サーバシステムでデータベースと照合することによって、判定部が識別カードの所有者を判別する識別カード取引システムとしたことである。
【発明の効果】
【００１０】
本発明によれば、折り曲げや高熱に強くて破損することがなく、記録された識別情報を不正にコピーされされたり、個人情報の漏洩や識別情報が消去したりすることのない識別カードを提供することができるようになった。さらに、その識別カードを使用して識別情報を不正に使用されることを防止した識別カード取引システムを提供することができるようになった。
【発明を実施するための最良の形態】
【００１１】
以下、本発明の第１の実施形態に係る識別カード１について、添付図面に基づいて説明する。
【００１２】
本実施形態による識別カード１は、主にＡＴＭやクレジット決済に使用され、いわゆるキャッシュカードあるいはクレジットカードと称されるカードである。
また、識別カード１は、「ＪＩＳ  Ｘ  ６３０１」あるいは「ＩＳＯ／ＩＥＣ７８１０」規格に規定される物理的特性を備える。すなわち、カードの長辺方向の長さ（図中左右方向）が８５.６ｍｍ、短辺方向の長さ（図中上下方向）が５４ｍｍであり、その厚みは０.６８ｍｍ〜０.８４ｍｍに形成されている。
なお、本実施形態では識別カード１をＡＴＭやクレジット決済に使用する場合を想定したので、カードのサイズは上記規格に準じているが、他の規格によるカード使用形態に適合させる場合には、その規格に準じたサイズとすることは言うまでもない。
【００１３】
識別カード１は高強度合金で一体に形成されている。具体的には、例えば「ＪＩＳ６０種（ＴＡＰ６４００）」あるいは「ＡＳＴＭ  Ｇｒａｄｅ５」に区分される、いわゆる６−４チタンと称される高強度合金からなる板素材から、前記形状にプレスによる打ち抜き処理をして形成されている。
【００１４】
このような物理的特性を備えて形成された識別カード１の全体をカード本体１０とし、そのカード本体１０の表面は、金属イオンを電着した金属蒸着層による加工が施されている。このような加工により、カード本体１０は、例えば、ブラック、ゴールド、プラチナ、ピンク、ブルー等に着色される。また、金属蒸着層による着色は、識別カード１の使用状態において、カード表面がこすれたり、カード表面を強力な洗剤で洗ったりした場合であっても、その着色は容易に落ちることがない。
なお、本実施形態では、堅牢な着色を得るために金属蒸着層による着色を採用したが、識別カード１の使用環境や需要者からの要望により従来の識別カードと同様に印刷による着色とすることも可能である。
【００１５】
カード本体１０の一面側、例えば表面側１１には、図１に示すように、識別カード１の名称等の情報として、レーザー彫刻機によって、例えば「ＡＢＣ  ＢＡＮＫ  ＣＡＲＤ」の文字が刻設されている。なお、識別カード情報として、文字に加えて所望の図柄や識別カード１の所有者名が刻設されていても良い。また、使用過程において容易に剥離しない限りにおいて識別カード情報が印刷されていても良いし、あるいは、シールが貼付されていても良い。
【００１６】
カード本体１０の他面側、例えば裏面側１２には、図２に示すように、少なくとも１つの識別情報記録部２０を備えている。その識別情報記録部２０は、カードの短辺間にわたって細分された複数の四角形のセル（升目）３０，３０・・・がカード長辺間にわたって複数段（Ａ，Ｂ，Ｃ，Ｄ・・・）に配列されている。例えば、本実施形態では、セルはカード長辺方向に３６個に細分され、短辺間に４段の配列としている。なお、各セルは隙間なく配列されている。
前記複数のセル３０，３０・・・には、図３に示すように、レーザー彫刻機によって固有の識別情報が刻設されている。これら固有の識別情報は、識別カードの所有者を特定する情報と、所有者に関する、例えば銀行口座番号等の情報に割り当てられ、図５に示すように、識別情報記録部２０の各セル３０，３０・・・に所定の組み合わせによりマトリックスを形成して刻設される。
【００１７】
なお、本実施形態では四角形のセル形状を採用したが、セル形状は識別情報を記録可能な限りにおいて他の形状であっても良い。例えば、三角形や五角形等の多角形でも良く、あるいは、円形形状であっても良く、また、多角形の角が円弧状に処理された円形と多角形の組み合わせ形状であっても良い。
また、本実施形態では各セルを隙間なく配列したが、これに限定されず、各セル間に隙間が設けられていても良い。
【００１８】
その複数の固有の識別情報は、第一識別情報として、直線模様が所定の角度で刻まれている。本実施例では、図４に示すように、縦模様３１、横模様３２、左斜め模様３３、右斜め模様３４が採用されている。また、これらに直線模様が施されないセル３５を加えた５種類の第一識別情報が設定されている。
さらに、第二識別情報として、前記第一識別情報が所定の深さで刻設されている。本実施形態では、第二識別情報として、図５に示すように、浅い刻設α、深い刻設β、前記αとβとの中間の刻設γの深さによって３種類の第二識別情報が設定されている。
【００１９】
これら、前記第一識別情報と第二識別情報の組み合わせによって、図６に示すように、深い縦模様３１ａ、浅い縦模様３１ｂ、中間の縦模様３１ｃ、深い横模様３２ａ、浅い横模様３２ｂ、中間の横模様３２ｃ、深い左斜め模様３３ａ、浅い左斜め模様３３ｂ、中間の左斜め模様３３ｃ、深い右斜め模様３４ａ、浅い右斜め模様３４ｂ、中間の右斜め模様３４ｃ、深い無模様３５ａ、浅い無模様３５ｂ、中間の無模様３５ｃからなる１５種類の固有の識別情報が得られる。さらに、これに加えて、模様なしかつ刻設の深さなしのセル３５ｄを加えて１６種類の固有の識別情報を得る。
【００２０】
なお、本実施形態では、識別情報記録部２０に刻設されるセルは、カード長辺間に３６個に細分され、短辺間に４段の配列としたが、セルの細分数や段数はこれに限定されるものではなく、刻設される情報量やデザイン上の観点から自由に設定可能である。また、セルの大きさについても同様に自由に設定されるものである。また、本実施形態では刻設される模様は直線模様としたが、これに限定されるものではなく自由に設定可能である。例えば曲線模様であっても良い。
さらに、識別情報記録部２０は、本実施形態では１本の帯として刻設されているが、これについても、刻設される情報量やデザイン上の観点から自由に設定可能であり、例えば２本の帯として刻設されていても良い。
また、本実施形態では一例として、識別情報記録部２０をカード本体１０の他面側に備えているが、これに限られず、識別情報記録部２０はカード本体１０の一面側に備えられていても良い。
【００２１】
なお、本実施形態で採用した固有の識別情報に代えて以下に挙げる識別情報としても良い。例えば、カード本体の所定位置に刻設される複数のセルが、それらセルの刻設深さ、刻設幅、刻設形状のいずれか一つもしくは複数の組み合わせによって固有の識別情報が特定されものでも良い。また、それらセルに刻設される模様のみによって固有の識別情報が特定されるものでも良い。
あるいは、第二識別情報として模様が刻設される深さによって固有の識別情報が特定されるようにしても良い。
また、セルに刻設される模様の深さは均一でなくても良い。例えば、一方方向に向かって深くなるように刻設された模様を識別情報とすることもできる。
【００２２】
このように構成した識別カード１は、カード本体１０が高強度合金である６−４チタン合金で形成されているので、６−４チタン合金による他のカードに固有の識別情報を新たに刻設するためには、レーザー彫刻機とそのレーザー彫刻機が所定の識別情報を刻設するように制御する制御プログラムを用意する必要がある。従って、本物の識別カード１と同様の固有の識別情報が刻設された識別カードの不正コピーを作成することは極めて困難である。
【００２３】
また、６−４チタン合金で形成された識別カード１は６−４チタン合金の特性を保有することとなる。すなわち、他の合金と比べて非常に軽量でありながら高い硬度を備えており、曲げ応力や剪断応力に対しても強固であり、加熱時にも溶融したり変形したりしない特性をもつ。
これにより、所有者が複数の識別カード１を携帯した場合であっても、その重量を重く感じさせることがない。さらに、使用状態において、識別カード１に硬質な物体が擦り付けられた場合であっても識別カード１が傷つくことがない。さらに、外力によって折れ曲がったり千切れたりすることもなく、万一高温の環境下に放置した場合であっても焼損したり溶融して変形したりすることがない。識別カード１はこれらの特性を備えていることから、長期間にわたって使用可能であるとともに美しい表面を維持することができる。
【００２４】
さらに、本実施形態による識別カード１には個人情報が記載されていないので、識別カード１から個人情報が漏れる心配もない。また、識別カード１の識別情報は磁力によって記録されていないので、識別カード１を強力な磁場の付近に長時間放置しても識別情報が消えてしまう心配もなくなった。
【００２５】
次に、第２の実施形態として、前記第１の実施形態による識別カード１を使用した識別カード取引システムの一例を説明する。なお、識別カード１の構成および効果は前記第１の実施形態と同様であるので説明を省略する。
例えば、本実施形態では、識別カード１を現金自動預け払い機（ＡＴＭ）用に銀行が発行するキャッシュカード（バンクカード）として使用しているので、図７に示すように、クライアントシステムはＡＴＭ７０であり、サーバシステムは銀行側サーバ８０となる。この場合において、ＡＴＭ７０はネットワーク網９０（例えば専用回線網またはインターネット網）によって銀行側サーバ８０と接続されている。
【００２６】
また、ＡＴＭ７０には、識別カード１に刻設されている識別情報記録部２０の識別情報を読み取る読取部７２と、その読取部７２に接続され、読み取った識別情報や銀行側サーバ８０からの情報を入出力するＡＴＭＩ／Ｏ部７１とが備えられている。
さらに、銀行側サーバ８０には、ＡＴＭ７０と識別情報を入出力するサーバＩ／Ｏ部８１が備えられる。また、銀行側サーバ８０は、そのサーバＩ／Ｏ部８１と接続されたＣＰＵ８２を備える。さらに、ＣＰＵ８２に接続され、プログラムが記録されているＲＯＭ８３と、ＲＯＭ８３からプログラムをロードするとともに、入出力する識別情報を一時記憶するＲＡＭ８４と、識別情報を判定する判定部８５と、個々の識別カードに関する固有情報を記憶して管理するデータベース８６とを備えている。
【００２７】
なお、前記データベース８６には、識別カード１の所有者ごとに割り当てられた固有の配列パターンや、所有者の口座番号や所有者の定めた暗証番号等、ＡＴＭ取引の遂行に必要な各情報が予め記録されている。この場合、識別カード１の配列パターンはカード所有者ごとに固有の配列パターンがランダムに決定されるとともに、他の識別カード１の所有者に付与された配列パターンと同一になることがないように割り当てられているの。従って、特定の配列パターンに複数の所有者が重なって登録されることはない。
【００２８】
具体的には、識別カード１の識別情報記録部２０には、刻設されたセル３０，３０・・・の識別情報として、例えば、中間の横模様３２ｃ、深い右斜め模様３４ａ、模様なしかつ刻設なし、中間の無模様３５ｃ、浅い左斜め模様３３ｂ、深い無模様３５ａ、浅い縦模様３１ｂ・・・のように、カード長辺間に３６個にかつ短辺間に４段の配列で１４４個の識別情報が配列されている。
この場合において、銀行側サーバ８０のデータベース８６にも同一の１４４個の識別情報の配列パターンが識別カード１の所有者に関連付けられてＡＴＭ取引の遂行に必要な各情報とともに記録されている。
【００２９】
このような構成において、まず、識別カード１の所有者がＡＴＭ７０に識別カード１を挿入した場合には、まず、ＡＴＭ７０は読取部７２の図示しないレーザー読取機によって識別情報記録部２０に刻設された全てのセル３０，３０・・・について固有の識別情報を順番に読み取って、読み取った識別情報の配列パターンを銀行側サーバ８０に伝送する。この際、縦模様３１、横模様３２、左斜め模様３３、右斜め模様３４および模様なしの第一識別情報と、浅い刻設α、深い刻設β、前記αおよび刻設の深さなしの第二識別情報が、ＡＴＭ７０と銀行サーバ８０との間で定められた伝送規則に従って、逐一コード変換されて伝送される。
なお、そのとき伝送されるデータは、前記第一識別情報および第二識別情報が一般には公開されない伝送規則に従ってコード化されている。従って、万一、他人が不正な目的で伝送過程の伝送データを不正取得しても、その伝送データを解析して前記第一識別情報および第二識別情報を復元することは非常に困難である。さらに、コード化のための伝送規則を複数用意して、その複数の伝送規則を適宜切替えて使用すれば、伝送データのセキュリティはより堅牢になる。
【００３０】
ＡＴＭ７０から識別情報の配列パターンのコードを伝送された銀行側サーバ８０は、識別情報がサーバＩ／Ｏ８１に入力される。サーバＩ／Ｏ８１に入力された識別情報は、銀行側サーバ８０のＲＯＭ８３からＲＡＭ８４にロードされたプログラムを銀行側サーバ８０のＣＰＵ８２が実行することによって、識別情報の配列パターンのコードから識別情報の配列パターンが復号される。
【００３１】
復号された識別情報の配列パターンは、ＡＴＭ取引の遂行に必要な各情報とともにデータベース８６に記録されている識別情報の配列パターンのレコードを照合して、判定部８５で合致するデータがあるか否かを判定する。その結果、復号された識別情報の配列パターンと合致するデータがあれば、そのデータに関連付けられた所有者レコードから識別カード１の所有者を判定して特定する。
【００３２】
識別カード１の所有者が特定されると、銀行側サーバ８０のＣＰＵ８２は、データベース８６の所有者のレコードから、所有者の口座番号や所有者の定めた暗証番号等、ＡＴＭ業務の遂行に必要な各情報を参照することが可能となる。
識別カード１の所有者が特定された後の取引動作は、従来のＡＴＭを使用した取引動作と同様である。例えば、銀行側サーバ８０のＣＰＵ８２は、銀行側サーバ８０のＲＯＭ８３からＲＡＭ８４にロードされたプログラムに従って、所有者がＡＴＭ７０の操作に対応する取引を実行する。一例を挙げれば、所有者が預金の払出操作をした場合には、暗証番号の認証や口座残高の確認等の処理をした後に、所有者の要求に応じた現金の払出しをＡＴＭ７０に指示する。
なお、本実施形態では、銀行側サーバ８０は判定部８５を備えているが、判定部８５はプログラムであっても良い。
【００３３】
このような識別カード１を使用した取引システムによれば、識別カード１の識別情報記録部２０には、個人情報は一切記録されておらず、ただ単に、識別情報が固有の配列パターンで記録されているのだけである。従って、万一識別カード１が、所有者の意に反して所有者以外の者の手に渡った場合であっても、識別カード１の情報を基に所有者の個人情報を不正に読み出されることはない。
従って、スキミング犯罪を防止することができ、不正コピーされた識別カードを正規の所有者以外の者に使用されることもないので、所有者や銀行および識別カード発行会社が甚大な被害を被ることもなくなった。
【００３４】
また、所有者の口座番号等を不正な方法で別途入手した者が、不正に識別カード１を作ろうとした場合であっても、所有者に割り当てられた識別情報の固有の配列パターンを作り出すことができず、識別カード１の不正コピーを作成することができない。
これに加えて、識別カード１は前記第１の実施形態で述べたように、その不正コピーを作ることが極めて困難であるので、所有者や銀行および識別カード発行会社が甚大な被害を被ることもなくなった。
【００３５】
さらに、第３の実施形態として、前記第２の実施形態の識別情報記録部２０には第一識別情報と第二識別情報の組み合わせによって１６種類の固有の識別情報を刻設することができるので、この１６種類の固有の識別情報を組み合わせることによって文字を表現することができる。
なお、識別カード１の構成および効果は前記第１の実施形態と同様であり、識別カード１を使用した識別カード取引システムの構成および効果は前記第２の実施形態と同様であるので、ここでは説明を省略し、以下に、本実施形態の特徴部分である、識別情報記録部２０に刻設される識別情報によって文字を表現する構成を中心に説明する。
【００３６】
１６種類の固有の識別情報は、２つ組み合わせることによって、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コードを仮想することが可能であるので、識別情報としてＡＳＣＩＩ規格に準じた文字を表現することができる。
また、１６種類の固有の識別情報を４つ組み合わせることによって、ＪＩＳ（Ｊａｐａｎｅｓｅ  Ｉｎｄｕｓｔｒｉａｌ  Ｓｔａｎｄａｒｄ）  Ｘ  ０２０８コードを仮想することが可能であるので、識別情報としてＪＩＳ  Ｘ  ０２０８規格に準じた文字を表現することができる。
【００３７】
この場合において、前記１６種類の固有の識別情報をそれぞれ１６進数のコードに割り当てておく。例えば、図６に示すように、「深い縦模様３１ａ」を「１」、「浅い縦模様３１ｂ」を「２」、「中間の縦模様３１ｃ」を「３」、「深い横模様３２ａ」を「４」、「浅い横模様３２ｂ」を「５」、「中間の横模様３２ｃ」を「６」、「深い左斜め模様３３ａ」を「７」、「浅い左斜め模様３３ｂ」を「８」、「中間の左斜め模様３３ｃ」を「９」、「深い右斜め模様３４ａ」を「ａ」、「浅い右斜め模様３４ｂ」を「ｂ」、「中間の右斜め模様３４ｃ」を「ｃ」、「深い無模様３５ａ」を「ｄ」、「浅い無模様３５ｂ」を「ｅ」、「中間の無模様３５ｃ」を「ｆ」、「模様なしかつ刻設の深さなしのセル３５ｄ」を「０」と割り当てることができる。
【００３８】
このように割り当てられることによって、例えば、ＪＩＳ  Ｘ  ０２０８規格に準じた文字として「Ｎ，Ａ，Ｋ，Ａ，Ｔ，Ａ」の６文字を表現する場合には、文字Ｎのコードは１６進数では００４ｅと規定され、文字Ａのコードは１６進数では００４１と規定され、文字Ｋのコードは１６進数では００４６と規定され、文字Ｔのコードは１６進数では００５４と規定されているので、「Ｎ，Ａ，Ｋ，Ａ，Ｔ，Ａ」は、１６進数では「００４ｅ，００４１，００４６，００４１，００５４，００４１」と表わされる。
そして、「Ｎ」の文字は、固有の識別情報の配列として「模様なしかつ刻設の深さなしのセル３５ｄ，模様なしかつ刻設の深さなしのセル３５ｄ，浅い横模様３２ｂ，深い縦模様３１ａ」の４つの固有の識別情報の配列で表現される。同様にして、「Ａ，Ｋ，Ａ，Ｔ，Ａ」の文字もそれぞれ４つの固有の識別情報の配列で表現される。
【００３９】
さらに、同様にして、ＪＩＳ  Ｘ  ０２０８規格に準じた文字として、日本語の漢字文字である「中，田」は１６進数では「４３６６，４５４４」と表わされるので、これを前記１６種類の固有の識別情報で表わすと、例えば、「深い横模様３２ａ，中間の縦模様３１ｃ，中間の横模様３２ｃ，中間の横模様３２ｃ，深い横模様３２ａ，浅い横模様３２ｂ，深い横模様３２ａ，深い横模様３２ａ」の８つの固有の識別情報の配列で表現される。
【００４０】
なお、上記割り当ては一例であって、銀行側サーバ８０によって所有者ごとにランダムに複数の固有の識別情報に対応した１６進数の割り当てを定義して、データベース８６の所有者に関するレコードに記録しておけば、膨大な数の割り当ての定義を管理することができる。
そして、取引時には、識別カード１の識別情報記録部２０の所定範囲に記録された識別情報の配列から所有者を特定し、その所有者の複数の識別情報とＪＩＳ  Ｘ  ０２０８規格の文字の割り当て定義に従って、識別情報の配列から文字を復号することができる。このよう識別情報に文字を割り当てることによって、文字データは暗号化されることとなる。
【００４１】
このような識別カード１を使用した取引システムによれば、識別カード１の識別情報記録部２０には、個人情報は通常の手段で読み取り可能な状態で記録されることがなく、ただ単に、固有の識別情報が固有の配列パターンとして暗号化されて記録されているのだけである。従って、万一識別カード１が、所有者の意に反して所有者以外の者の手に渡った場合であっても、識別カード１に刻設された識別情報を解析することは非常に困難である。
【００４２】
また、所有者の口座番号等を不正な方法で別途入手した者が、不正に識別カード１を作ろうとした場合であっても、所有者に割り当てられた識別情報の固有の配列パターンを作り出すことができず、識別カード１の不正コピーを作成することができない。
従って、スキミング犯罪を防止することができ、不正コピーされた識別カードを正規の所有者以外の者に使用されることもないので、所有者や銀行および識別カード発行会社が甚大な被害を被ることもなくなった。
【００４３】
なお、上述の各実施形態では、一例として、識別カード１をＡＴＭによる銀行との取引に使用した場合を説明したが、識別カード１の使用形態はこれに限定されるものではなく、広くカードを使用した使用形態に適用可能である。
例えば、個人の所属や身分を証明するＩＤカードや、日本の戸籍を管理する住民基本台帳ネットワークシステムにアクセスするための識別カードとして使用することも本発明の範囲内である。このように識別カード１を個人判別のカードとして使用した場合には、万一、所有者に不測の外力が及んで、所有者の身元が判別できないような状況下であっても、識別カード１は使用可能な状態で残存するので、従来のようにＤＮＡや歯型の照合によることなく、所有者の身元を判別することが容易となる。
【図面の簡単な説明】
【００４４】
【図１】識別カードの表を示す平面図である。
【図２】識別カードの裏面を示す平面図である。
【図３】識別カードの裏面の識別情報記録部を示し、図２中右肩部分の一部拡大図である。
【図４】識別情報記録部に記録される直線模様の種類を示す説明図である。
【図５】識別情報記録部に記録される直線模様が刻設される深さを示す説明図である。
【図６】第一識別情報と第二識別情報の組み合わせを示す説明図である。
【図７】識別カードを使用した取引システムの概略を示す説明図である。
【符号の説明】
【００４５】
１  識別カード
１０  カード本体
２０  識別情報記録部
３０  識別情報記録部に配列される複数のセル
【図１】
2009178843.tif 000003
【図２】
2009178843.tif 000004
【図３】
2009178843.tif 000005
【図４】
2009178843.tif 000006
【図５】
2009178843.tif 000007
【図６】
2009178843.tif 000008
【図７】
2009178843.tif 000009